(57)【特許請求の範囲】
【請求項１】
基板上を回転自在なロータをハウジング内に収納してなる回転型電子部品において、ロータの一部あるいは全部を熱可塑性エラストマからなる弾性部材で形成し、ロータをハウジング内に収納・組立した際に、ハウジング内側壁あるいは基板上面あるいはその両方と当接することにより弾性変形するリップ部をロータに設けたことを特徴とする回転型電子部品。
【請求項２】
基板上を回転自在なロータをハウジング内に収納してなる回転型電子部品において、ロータの一部あるいは全部を熱可塑性エラストマからなる弾性部材で形成し、ロータをハウジング内に収納・組立した際に、摺動子と基板上面とが当接することにより弾性変形する摺動子保持部をロータに設けたことを特徴とする回転型電子部品。
【請求項３】
基板上を回転自在なロータをハウジング内に収納してなる回転型電子部品において、ロータの一部あるいは全部を熱可塑性エラストマからなる弾性部材で形成し、ロータをハウジング内に収納・組立した際に、ハウジング内側壁あるいは基板上面あるいはその両方と当接することにより弾性変形するリップ部と、摺動子と基板上面とが当接することにより弾性変形する摺動子保持部とをロータに設けたことを特徴とする回転型電子部品。
【発明の詳細な説明】
【０００１】
【発明の属する技術分野】
本発明は、回転型電子部品、特に密閉型の回転型電子部品に関する。
【０００２】
【従来の技術】
従来の回転型電子部品の一例として密閉型可変抵抗器を図９に示す。
３１はロータで、ロータ底部にはコイル状摺動子２５を収納する摺動子収納部３３が形成されており、この摺動子収納部３３に弾性体である摺動子保持部材３５及びコイル状摺動子２５が収納されている。
コイル状摺動子２５等が収納されたロータ３１をハウジング１１に回転自在に組み込み、ロータ３１の底部外周にＯリング２３を組み込んだ状態で、馬蹄形の抵抗パターン１５が形成された基板１３及び底蓋１７をハウジング１１に挿入密閉することにより、ロータ３１とハウジング１１及び基板１３との間でＯリング２３が押圧され、ハウジング１１とロータ３１とを密閉構造とすることができるとともに、摺動子収納部３３内の摺動子保持部材３５も基板１３により押圧されて、コイル状摺動子２５に適度な接点圧を持たせることができる。
【０００３】
【発明が解決しようとする課題】
しかしながら、このような構造の回転型電子部品においては、ロータ３１を密閉構造とするために、Ｏリング２３のような弾性部材が別途必要となるとともに、コイル状摺動子２５に適度な接点圧を持たせるために、摺動子保持部材３５のような弾性部材が別途必要となるため、部品点数が多くなり組立工程が繁雑になるという問題があった。
【０００４】
本発明は以上のような従来の欠点に鑑み、これらの欠点を除去するためになされたものであり、Ｏリング２３や摺動子保持部材３５のような弾性部材を必要とせず、部品点数を削減して組立工程を簡略化することのできる回転型電子部品を得ることを目的としている。
【０００５】
【課題を解決するための手段】
上記目的を達成するために、本発明は基板上を回転自在なロータをハウジング内に収納してなる回転型電子部品において、ロータの一部あるいは全部を熱可塑性エラストマからなる弾性部材で形成し、ロータをハウジング内に収納・組立した際に、ハウジング内側壁あるいは基板上面あるいはその両方と当接することにより弾性変形するリップ部をロータに設けることにより回転型電子部品を構成している。
また、基板上を回転自在なロータをハウジング内に収納してなる回転型電子部品において、ロータの一部あるいは全部を熱可塑性エラストマからなる弾性部材で形成し、ロータをハウジング内に収納・組立した際に、摺動子と基板上面とが当接することにより弾性変形する摺動子保持部をロータに設けることにより回転型電子部品を構成している。
さらに、基板上を回転自在なロータをハウジング内に収納してなる回転型電子部品において、ロータの一部あるいは全部を熱可塑性エラストマからなる弾性部材で形成し、ロータをハウジング内に収納・組立した際に、ハウジング内側壁あるいは基板上面あるいはその両方と当接することにより弾性変形するリップ部と、摺動子と基板上面とが当接することにより弾性変形する摺動子保持部とをロータに設けることにより回転型電子部品を構成している。
【０００６】
【実施の形態】
以下、添付図面を参照して本発明の実施の形態を詳細に説明する。
【０００７】
図１は本発明の第１の実施の形態の回転型電子部品の断面図であり、図２は第１の実施の形態の回転型電子部品に組み込まれたロータの断面図である。ここでは例として、密閉型の可変抵抗器を示している。
【０００８】
１ａは外周下端部に弾性変形自在なリップ部３ａを備えるロータで、熱可塑性エラストマからなる弾性部材で一体的に形成されている。
このロータ１ａをハウジング１１に収納・組立することにより、ロータ１ａの外周下端部に形成されたリップ部３ａが、ハウジング１１の内側壁と当接することにより弾性変形（図２及び図１参照）し、ロータ１ａとハウジング１１とを密閉構造とすることができる。
このため、従来使用されていたＯリング２３（図９参照）を不要とすることができ、組立工程を簡略化することができる。
また、リップ部３ａの弾性値を、その形状や肉圧等により自在に調整することができるため、密閉度や回転トルク等を自在に調整することができる。
【０００９】
図３ないし図５は、リップ部をロータの外周下端部以外に形成した例や、リップ部の形状の一例を示すものであり、ハウジング１１の内側壁や基板１３の上面と当接する部分のロータの任意の箇所にリップ部を設けることができることを示している。
なお、ロータ１ａを熱可塑性エラストマからなる弾性部材で一体的に形成した旨説明したが、多重成形等の方法によりリップ部とそれ以外の部分とを別部材で形成しても良いことは言うまでもない。
【００１０】
図６は本発明の第２の実施の形態の回転型電子部品の断面図であり、図７の（ａ），（ｂ），（ｃ），（ｄ）は第２の実施の形態の回転型電子部品に組み込まれたロータの摺動子保持部の部分断面図である。ここでは第１の実施の形態と同様に、密閉型の可変抵抗器を例として示している。
【００１１】
１ｊは底部に弾性変形自在な摺動子保持部５ａないし５ｄを備えるロータで、熱可塑性エラストマからなる弾性部材で一体的に形成されている。
このロータ１ｊをハウジング１１に収納・組立することにより、ロータ１ｊの底部に形成された摺動子保持部５ａないし５ｄにより保持されるコイル状摺動子２５が、基板１３の上面に形成された抵抗パターン１５と当接することにより、コイル状摺動子２５と当接した摺動子保持部５ａないし５ｄが弾性変形し、コイル状摺動子２５に適度な接点圧を持たせることができる。
このため、従来使用されていた摺動子保持部材３５（図９参照）を不要とすることができ、組立工程を簡略化することができる。
また、摺動子保持部５ａないし５ｄの弾性値を、その形状や肉圧等により自在に調整することができるため、コイル状摺動子２５の接点圧を自在に調整することができる。
なお、本発明の第１の実施の形態と同様に、ロータ１ｊを多重成形等の方法により摺動子保持部とそれ以外の部分とを別部材で形成しても良いことは言うまでもない。
【００１２】
図８は本発明の第３の実施の形態の回転型電子部品の断面図であり、本発明の第１の実施の形態のリップ部と、本発明の第２の実施の形態の摺動子保持部とをともに備えたものである。
このように構成することにより、Ｏリング２３と摺動子保持部材３５の両方を削減することができるため、さらに組立工程を簡略化することができる。
【００１３】
なお、これらは密閉型の可変抵抗器に限定されるものではなく、可変コンデンサやロータリスイッチ等、ロータを備える密閉構造の回転型電子部品に適宜適用することができる。
【００１４】
【発明の効果】
以上、詳細に説明したように本発明あっては次に列挙する効果を得ることができる。
【００１５】
（１）  ロータの一部あるいは全部を熱可塑性エラストマからなる弾性部材で形成し、ロータをハウジング内に収納・組立した際に、ハウジング内側壁あるいは基板上面あるいはその両方と当接することにより弾性変形するリップ部をロータに設けたので、ロータとハウジングとを密閉するＯリングを不要とすることができ、部品点数を削減して組立工程の簡略化を図ることができる。
【００１６】
（２）  ロータの一部あるいは全部を熱可塑性エラストマからなる弾性部材で形成し、ロータをハウジング内に収納・組立した際に、摺動子と基板上面とが当接することにより弾性変形する摺動子保持部をロータに設けたので、摺動子に適度な接点圧を持たせる摺動子保持部材を不要とすることができ、部品点数を削減して組立工程の簡略化を図ることができる。
【００１７】
（３）  ロータの一部あるいは全部を熱可塑性エラストマからなる弾性部材で形成し、ロータをハウジング内に収納・組立した際に、ハウジング内側壁あるいは基板上面あるいはその両方と当接することにより弾性変形するリップ部と、摺動子と基板上面とが当接することにより弾性変形する摺動子保持部とをロータに設けたので、Ｏリング並びに摺動子保持部材を不要とすることができ、さらに部品点数を削減して組立工程の簡略化を図ることができる。
【図面の簡単な説明】
【図１】本発明の第１の実施の形態の回転型電子部品の断面図。
【図２】本発明の第１の実施の形態の回転型電子部品のロータの断面図。
【図３】本発明の第１の実施の形態の回転型電子部品の他のロータの断面図。
【図４】本発明の第１の実施の形態の回転型電子部品の他のロータの部分断面図。
【図５】本発明の第１の実施の形態の回転型電子部品の他のロータの断面図。
【図６】本発明の第２の実施の形態の回転型電子部品の断面図。
【図７】本発明の第２の実施の形態の回転型電子部品の摺動子保持部の部分断面図。
【図８】本発明の第３の実施の形態の回転型電子部品の断面図。
【図９】従来の回転型電子部品の断面図。
【符号の説明】
１ａないし１ｋ、３１：ロータ、      ３ａないし３ｉ：リップ部、
５ａないし５ｄ：摺動子保持部、
１１：ハウジング、                  １３：基板、
１５：抵抗パターン、                １７：裏蓋、
１９：ドライバ溝、                  ２１：端子、
２３：Ｏリング、                    ２５：コイル状摺動子、
３３：摺動子収納部、                ３５：摺動子保持部材。
【図１】
0003648538.tif 000002
【図２】
0003648538.tif 000003
【図３】
0003648538.tif 000004
【図４】
0003648538.tif 000005
【図５】
0003648538.tif 000006
【図６】
0003648538.tif 000007
【図７】
0003648538.tif 000008
【図８】
0003648538.tif 000009
【図９】
0003648538.tif 000010